(57)【要約】      （修正有）【課題】構造が簡単で、製造が簡単で、コストが安く、簡便で耐用される快速に連結可能なねじ機構を提供する。【解決手段】雌ねじを有する雌ねじ本体１及び雌ねじ本体と合わせて使用される雄ねじ本体４を含み、雌ねじ本体１の雌ねじは円周方向に沿って、複数の内切り面によって隔てられる複数組の間欠雌ねじを含み、各組の間欠雌ねじ内の複数の雌ねじ線は軸方向に沿って整列に設置されている。雄ねじ本体４の雄ねじは、円周方向に沿って複数の外切り面によって隔てられる複数組の間欠雄ねじを含み、各組の間欠雄ねじ内の複数の雄ねじ線は軸方向に沿って整列に設置されている。雄ねじ本体４と雌ねじ本体１が合わせて使用される時に、複数の内切り面は複数組の間欠雄ねじの形状及び数量に合わせられ、複数の外切り面は複数組の間欠雌ねじの形状及び数量に合わせられている。【選択図】図１
0003221750.tif 000002
【実用新案登録請求の範囲】
【請求項１】
雌ねじを有する雌ねじ本体及び前記雌ねじ本体と合わせて使用される雄ねじ本体を含む快速に連結可能なねじ機構であって、
前記雌ねじ本体の雌ねじは円周方向に沿って、複数の内切り面によって隔てられる複数組の間欠雌ねじを含み、前記複数組の間欠雌ねじのうち各組の間欠雌ねじの複数の雌ねじ線は軸方向に沿って整列に設置されており、
前記雄ねじ本体の雄ねじは、円周方向に沿って複数の外切り面によって隔てられる複数組の間欠雄ねじを含み、前記複数組の間欠雄ねじのうち各組の間欠雄ねじ内の複数の雄ねじ線は軸方向に沿って整列に設置されており、
前記雄ねじ本体と前記雌ねじ本体が合わせて使用される時に、前記複数の内切り面は前記複数組の間欠雄ねじの形状及び数量に合わせられ、前記複数の外切り面は前記複数組の間欠雌ねじの形状及び数量に合わせられていることを特徴とする快速に連結可能なねじ機構。
【請求項２】
前記複数の内切り面が前記雌ねじ本体の内円周面上に均一に分布され、対応的に、前記複数組の間欠雄ねじも前記内切り面と同様な分布方式で前記雄ねじ本体の外面上に分布されることを特徴とする請求項１に記載の快速に連結可能なねじ機構。
【請求項３】
前記複数の内切り面が非均一分布方式で前記雌ねじ本体の内円周面上に分布され、対応的に、前記複数組の間欠雄ねじも前記内切り面と同様な分布方式で前記雄ねじ本体の外面上に分布されることを特徴とする請求項1に記載の快速に連結可能なねじ機構。
【請求項４】
前記雄ねじ本体のねじは左ねじ又は右ねじのうちの一つであってもよく、対応的に、前記雄ねじ本体に合わせて使用される前記雌ねじ本体のねじは同様に左ねじ又は右ねじのうち一つであることを特徴とする請求項1に記載の快速に連結可能なねじ機構。
【請求項５】
前記雄ねじ本体のねじは単線ねじ又は複数線ねじのうち一つであり、対応的に、前記雄ねじ本体に合わせて使用される前記雌ねじ本体のねじも同様に単線ねじ又は複数線ねじのうち一つであることを特徴とする請求項1に記載の快速に連結可能なねじ機構。
【請求項６】
前記雄ねじ本体はフルサークル雄ねじを更に含むことを特徴とする請求項1に記載の快速に連結可能なねじ機構。
【請求項７】
前記雄ねじ本体の前記フルサークル雄ねじの巻き数は少なくとも1回であり、前記フルサークル雄ねじは前記雄ねじ本体の根部に近い位置に設けられていることを特徴とする請求項6に記載の快速に連結可能なねじ機構。
【請求項８】
前記雌ねじ本体はフルサークル雌ねじを更に含むことを特徴とする請求項1に記載の快速に連結可能なねじ機構。
【請求項９】
前記雌ねじ本体の前記フルサークル雌ねじの巻き数は少なくとも1回であり、前記フルサークル雌ねじは前期雌ねじ本体の孔の底部に近い位置に設けられていることを特徴とする請求項8に記載の快速に連結可能なねじ機構。
【請求項１０】
前記雌ねじ本体は円柱ねじ又は円錐ねじのうち一種であり、対応的に、前記雄ねじ本体も円柱ねじ又は円錐ねじのうち一種であることを特徴とする請求項1に記載の快速に連結可能なねじ機構。
【考案の詳細な説明】
【技術分野】
【０００１】
本実用新案は、医療機器分野に関するものであって、医用連結機構に関し、特に、ねじ連結機構に関するものである。
【０００２】
超音波手術において、通常、手術必要に応じて異なる手術機器を超音波設備に連結しなければならない。通常、オペレータはねじ連結方式を採用して設備を連結している。
【０００３】
ねじ連結は、機械構造においてよく用いられる連結方式であり、その製造は簡単で、使用が簡便で、連結が信頼的で、通用性が良く、取り外し性能に優れており、繰り返し使用も可能である。しかし、その連結には雌ねじ及び雄ねじが逆方向に複数回回転されてから有効的な連結が実現されるため、ある軸方向荷重に対する要求が大きくないが、快速な連結を必要とする場合には、伝統的なねじ連結は快速連結の要求を満たすことができない。
【考案の概要】
【考案が解決しようとする課題】
【０００４】
従来の問題に対して、本実用新案は快速に連結可能なねじ機構であって、雌ねじを有する雌ねじ本体及び雌ねじ本体と合わせて使用される雄ねじ本体を含み、雌ねじ本体の雌ねじは円周方向に沿って、複数の内切り面によって隔てられる複数組の間欠雌ねじを含み、各組の間欠雌ねじ内の複数の雌ねじ線は軸方向に沿って整列に設置されており、雄ねじ本体の雄ねじは、円周方向に沿って複数の外切り面によって隔てられる複数組の間欠雄ねじを含み、各組の間欠雄ねじ内の複数の雄ねじ線は軸方向に沿って整列に設置されていることを特徴とする快速に連結可能なねじ機構を提供している。雄ねじ本体と雌ねじ本体が合わせて使用される時に、複数の内切り面は複数組の間欠雄ねじの形状及び数量に合わせられ、複数の外切り面は複数組の間欠雌ねじの形状及び数量に合わせられている。
【０００５】
本実用新案における快速に連結可能なねじ機構のねじは切り面に交替して設置され、使用される時に、ねじを切り面に位置合わせて快速に挿入させ、所定位置に挿入させた後、所定の角度回転させると、ねじ機構を快速に連結することができる。本実用新案の快速に連結可能なねじ機構を使用して連結すると、複数回回転しなくても簡単で、快速な連結を実現することができる。
【０００６】
本実用新案における快速に連結可能なねじ機構によれば、複数の内切り面が雌ねじ本体の内円周面上に均一に分布され、対応的に、複数組の間欠雄ねじも内切り面と同様な分布方式で雄ねじ本体の外面上に分布されることが好ましい。
【０００７】
本実用新案における快速に連結可能なねじ機構によれば、複数の内切り面が非均一分布方式で雌ねじ本体の内円周面上に分布され、対応的に、複数組の間欠雄ねじも内切り面と同様な分布方式で雄ねじ本体の外面上に分布されることが好ましい。
【０００８】
本実用新案における快速に連結可能なねじ機構によれば、雄ねじ本体のねじは左ねじ又は右ねじのうちの一つであってもよく、対応的に、雄ねじ本体に合わせて使用される雌ねじ本体のねじは同様に左ねじ又は右ねじのうち一つであることが好ましい。
【０００９】
本実用新案における快速に連結可能なねじ機構によれば、雄ねじ本体のねじは単線ねじ又は複数線ねじのうち一つであり、対応的に、雄ねじ本体に合わせて使用される雌ねじ本体のねじも同様に単線ねじ又は複数線ねじのうち一つであることが好ましい。
【００１０】
本実用新案における快速に連結可能なねじ機構によれば、雄ねじ本体はフルサークル雄ねじを更に含むことが好ましい。
【００１１】
本実用新案における快速に連結可能なねじ機構によれば、雄ねじ本体のフルサークル雄ねじの巻き数は少なくとも1回であり、フルサークル雄ねじは雄ねじ本体の根部に近い位置に設けられていることが好ましい。
【００１２】
本実用新案における快速に連結可能なねじ機構によれば、雌ねじ本体はフルサークル雌ねじを更に含むことが好ましい。
【００１３】
本実用新案における快速に連結可能なねじ機構によれば、雌ねじ本体のフルサークル雌ねじの巻き数は少なくとも1回であり、フルサークル雌ねじは雌ねじ本体の孔の底部に近い位置に設けられていることが好ましい。
【００１４】
本実用新案における快速に連結可能なねじ機構によれば、雌ねじ本体は円柱ねじ又は円錐ねじのうち一種であり、対応的に、雄ねじ本体も円柱ねじ又は円錐ねじのうち一種であることが好ましい。
【考案の効果】
【００１５】
本実用新案における快速に連結可能なねじ機構によれば、間欠ねじが切り面に交替して設置され、使用される時に、間欠ねじを切り面に位置合わせて快速に挿入させ、所定位置に挿入させた後、所定の角度回転させると、ねじ機構を快速に連結することができる。本実用新案の快速に連結可能なねじ機構を使用して連結する場合、複数回回転しなくても簡単で、快速な連結を実現することができる。本実用新案における快速に連結可能なねじ機構は、構造が簡単で、製造が簡単で、コストが安いと共に、医療手術において、医療機器を快速に、簡便で、且つ信頼的に連結する問題を成功的に解決している。
【図面の簡単な説明】
【００１６】
本実用新案の具体的な実施形態又は従来技術における技術案をより明瞭に説明するために、具体的な実施形態又は従来技術の記述に使用される必要がある図面を下記のように簡単的に紹介する。
【図１】図１は、本実用新案の快速に連結可能なねじ機構の一つの実施例の断面模式図である。
【図２】図2は、本実用新案の快速に連結可能なねじ機構の雌ねじ本体の一つの実施例の立体模式図である。
【図３】図3は、本実用新案の快速に連結可能なねじ機構の雌ねじ本体の一つの実施例の正面模式図である。
【図４】図4は、本実用新案の快速に連結可能なねじ機構の雄ねじ本体の一つの実施例の立体模式図である。
【図５】図5は、本実用新案の快速に連結可能なねじ機構の雄ねじ本体の一つの実施例の正面模式図である。
【考案を実施するための形態】
【００１７】
以下、図面に合わせて本発明の技術案を明瞭、完全に記述する。明らかに、記述される実施例は本発明の一部の実施例だけであり、全部の実施例ではない。本考案の実施例に基づき、当業者が進歩性に値する労働を要しない上で得られる全ての他の実施例は、いずれも本発明が保護する範囲に属するものである。
【００１８】
本発明では記述する際に、理解させるために用いる用語「中心」、「上」、「下」、「左」、「右」、「垂直」、「水平」、「内」、「外」等の指示の方位又は位置関係は、図面に示されている方位又は位置関係に基づいており、本発明を容易且つ簡単に説明するためであり、示される装置又は部材が必ずしも特定な方位、特定な方位構造と操作を有するものであると指示又は示唆するものではないため、本発明を制限するものではないと理解されるべきである。それ以外に、技術用語「第１」、「第２」、「第３」は目的のみを記述するためであり、重要性を指示又は暗示すると理解してはいけない。
【００１９】
本発明の記述において、説明すべきこととして、他の明確な規定及び限定を有する以外に、術語「取り付ける」、「互いに連結」、「連結」は広い意味に理解し、例えば、固定して連結してもよく、取り外し可能に連結され、または一体的に連結されてもよく、機械的連結してもよく、電気的接続してもよく、直接的に連結してもよく、中間媒体を介して間接的に連結してもよく、２つの部材の内部が連結していてもよい。当業者は、具体的な状況により上記術語を本発明で果たす具体的な意味として理解しなければならない。
【００２０】
以下、具体的な実施例により、図面に合わせて本実用新案を更に詳細に記述する。
【００２１】
図1〜図5を参照すると、本実用新案における快速に連結可能なねじ機構は、雌ねじを有する雌ねじ本体1及び雌ねじ本体1と合わせて使用される雄ねじ本体4を含み、雌ねじ本体1の雌ねじは円周方向に沿って、複数の内切り面2によって隔てられる複数組の間欠雌ねじ3を含み、各組の間欠雌ねじ3内の複数の雌ねじ線は軸方向に沿って整列に設置されている。雄ねじ本体4の雄ねじは、円周方向に沿って複数の外切り面5によって隔てられる複数組の間欠雄ねじ6を含み、各組の間欠雄ねじ6内の複数の雄ねじ線は軸方向に沿って整列に設置されている。雄ねじ本体4と雌ねじ本体1が合わせて使用される時に、複数の内切り面2は複数組の間欠雄ねじ6の形状及び数量に合わせられ、複数の外切り面5は複数組の間欠雌ねじ3の形状及び数量に合わせられている。
【００２２】
本実用新案の快速に連結可能なねじ機構における間欠ねじは切り面と交替して設置され、使用される時に、間欠雄ねじ6を内切り面2に位置合わせ、対応的に、間欠雌ねじ3を外切り面5に位置合わせて快速に挿入させ、所定位置に挿入させた後、所定の角度回転させると、ねじ機構を快速に連結することができる。本実用新案の快速に連結可能なねじ機構を使用して連結する場合、複数回回転しなくても簡単で、快速な連結を実現することができる。
【００２３】
図2〜図5に示すように、本実用新案における快速に連結可能なねじ機構において、雌ねじ本体1上の複数の内切り面2は雌ねじ本体1の内円周面上に均一に分布されることができ、対応的に、雄ねじ本体4上の複数組の間欠雄ねじ6も内切り面2と同様な方式で雄ねじ本体4の外面上に分布されることができる。
【００２４】
均一に間隔が隔てられている間欠雌ねじ及び間欠雄ねじが合わせて使用されると、オペレータがねじ機構を連結する時に、間欠ねじと対応する切り面の対応位置関係に注目し過ぎる必要がないため、連結速度を更に向上させている。
【００２５】
本実用新案における快速に連結可能なねじ機構において、複数の内切り面2は非均一分布方式で雌ねじ本体1の内円周面上に分布されることもでき、対応的に、複数組の間欠雄ねじ6も内切り面2と同様（対応的）な方式で雄ねじ本体4の外面上に分布されることができる。
【００２６】
非均一に分布される間欠ねじは加工製造過程において、ねじの等分切断工程を意図的に設定する必要がなく、内切り面2と間欠雌ねじ3の断面により形成される空間が間欠雄ねじ6をエンベロープすると共に外切り面5と間欠雄ねじ6の断面により形成される空間が間欠雌ねじ3をエンベロープすることができればよい。このようにすると、機械加工の公差に対する要求が厳しくなくなり、加工精度に対する要求が降下され、歩留まりを大幅に向上させると共に、機械加工の動作効率を向上し、加工コストを低減し、時間コストを節約させることで、本製品の価格を安くし、使用も簡便にさせる。
【００２７】
本実用新案における快速に連結可能なねじ機構において、雄ねじ本体4のねじは左ねじ又は右ねじのうちの一つであってもよく、対応的に、雄ねじ本体4に合わせて使用される雌ねじ本体1のねじは同様に左ねじ又は右ねじのうち一つである。
【００２８】
左ねじ及び右ねじはいずれも本実用新案における快速に連結可能なねじ機構に用いられることができ、本実用新案の使用範囲を極大に向上させている。
【００２９】
本実用新案における快速に連結可能なねじ機構において、雄ねじ本体4のねじは単線ねじ又は複数線ねじのうち一つであってもよく、対応的に、雄ねじ本体4に合わせて使用される雌ねじ本体1のねじも同様に単線ねじ又は複数線ねじのうち一つである。
【００３０】
単線ねじ又は複数線ねじはいずれも本実用新案における快速に連結可能なねじ機構に用いられることができ、本実用新案の使用範囲を極大に向上させている。
【００３１】
本実用新案における快速に連結可能なねじ機構において、雄ねじ本体4はフルサークル雄ねじ7を更に含むことができ、雄ねじ本体4のフルサークル雄ねじ7の巻き数は少なくとも1回であり、フルサークル雄ねじ7は雄ねじ本体4の根部に近い位置に設けられている。
【００３２】
本実用新案における快速に連結可能なねじ機構において、雌ねじ本体1はフルサークル雌ねじ8を更に含むことができ、雌ねじ本体1のフルサークル雌ねじ8の巻き数は少なくとも1回であり、フルサークル雌ねじ8は雌ねじ本体1の孔の底部に近い位置に設けられている。
【００３３】
フルサークルねじの設置は、本実用新案における快速に連結可能なねじ機構の軸方向の連結力を向上させることができる。
【００３４】
本実用新案における快速に連結可能なねじ機構において、雌ねじ本体1は円柱ねじ又は円錐ねじのうち一種であり、対応的に、雄ねじ本体4も円柱ねじ又は円錐ねじのうち一種である。ねじの歯形は三角ねじ、矩形ねじ、台形ねじ及び鋸歯ねじのうち一種であることができる。
【００３５】
円柱ねじ又は円錐ねじはいずれも本実用新案における快速に連結可能なねじ機構に用いられ、任意の歯形のねじのいずれも本実用新案における快速に連結可能なねじ機構に用いられて、本実用新案の使用範囲を極大に向上させている。
【００３６】
本実用新案における快速に連結可能なねじ機構の使用方法は以下の通りである：雌ねじ本体1を雄ねじ本体4に対して軸方向に快速移動させるように、合わせられる内切り面2と間欠雄ねじ6とを整列にし、外切り面5と間欠雌ねじ3とを整列にしており、雌ねじ本体1のヘッド部を雄ねじ本体4の根部に近い位置に移動させる時に、所定の角度回転させ、間欠雄ねじ3を間欠雌ねじ6に回転して挿入させることにより、ねじ機構の連結を実現し得る。
【００３７】
本実用新案における快速に連結可能なねじ機構の有益な技術効果は以下の通りである：間欠ねじが切り面に交替して設置され、使用される時に、間欠ねじを切り面に位置合わせて快速に挿入させ、所定位置に挿入させた後、所定の角度回転させる、即ち、ねじ機構を快速に連結することができる。本実用新案の快速に連結可能なねじ機構を使用して連結する場合、複数回回転しなくても簡単で、快速な連結を実現することができる。本実用新案における快速に連結可能なねじ機構は、構造が簡単で、製造が簡単で、コストが安く、簡便で耐用されるものである。本実用新案における快速に連結可能なねじ機構は、手術機器を切り替える時に、快速に連結可能な特徴を有するため、手術時間を極大に短縮でき、患者の痛みを低減し、医者の労働強度も低減させている。
【００３８】
最後に、説明すべきこととして、上記各実施例は本実用新案の技術案のみを説明するのに用いられ、それを制限するためではない。上記各実施例を参照して本実用新案を詳細に説明していても、当業者は、依然として上記各実施例に記載された技術案を補正し、或いは、その中の一部又は全部の技術特徴を同等切替することができ、且つこれらの補正又は切替が相応する技術案の本質を本実用新案の各実施例の技術案の範囲から離れるようにしないことを理解すべきである。
【符号の説明】
【００３９】
１、雌ねじ本体
２、内切り面
３、間欠雌ねじ
４、雄ねじ本体
５、外切り面
６、間欠雄ねじ
７、フルサークル雄ねじ
８、フルサークル雌ねじ
【図１】
0003221750.tif 000003
【図２】
0003221750.tif 000004
【図３】
0003221750.tif 000005
【図４】
0003221750.tif 000006
【図５】
0003221750.tif 000007